(57)【要約】心臓ペースメーカは、動物の静脈や動脈に埋め込まれた血管電極ステントに無線周波信号のパルスを周期的に送信する電力送信器を有する。血管電極ステントは無線周波信号からのエネルギーを利用して電源として機能する蓄電器を充電する。また血管電極ステントは、心臓の洞結節から発せられる心臓信号を検出し、蓄電器から動物の血管系中に埋め込まれた一対の電極に電圧パルスを印加することによって該信号に応答する。該電極に電圧パルスを印加することで心収縮を促進する。
2007510462.tif 000002
【特許請求の範囲】
【請求項１】
無線周波信号のパルスを周期的に送信する電力送信器と、
動物に埋め込む第一の電極及び第二の電極と、
該動物の血管に埋め込むためのものであって、前記無線周波信号及び心臓の洞結節から発信される心臓信号を受信するピックアップ装置、ならびに該ピックアップ装置に接続され蓄電器を有するペーシング信号回路を備える血管電極ステントと、を備える人工的に動物の心収縮を促進する心臓ペーシング装置であって、
該ペーシング信号回路が前記無線周波信号からの電気エネルギーを用いて前記蓄電器を充電し、前記心臓信号の検出に応じて前記第一の電極と前記第二の電極の間に刺激電圧パルスを印加して前記心臓を収縮させる心臓ペーシング装置。
【請求項２】
前記第一の電極が前記血管電極ステントに設けられている請求項１に記載の装置。
【請求項３】
前記蓄電器がコンデンサである請求項１に記載の装置。
【請求項４】
前記ピックアップ装置がコイルからなる請求項１に記載の装置。
【請求項５】
前記ペーシング信号回路が、
前記ピックアップ装置に接続され、前記無線周波信号のパルスを検出するのに応じて前記蓄電器を充電し、前記心臓信号を検出するのに応じてトリガー信号を生成する弁別器と、
該弁別器及び前記蓄電器に接続され、前記トリガー信号に応じて前記第一の電極及び前記第二の電極の間に刺激電圧パルスを印加するパルス回路と、を備える請求項１に記載の装置。
【請求項６】
前記弁別器が、前記電力送信器からの無線周波信号と、前記洞結節から発信される前記心臓信号とを、それらの信号波形の差異に基づき識別する請求項５に記載の装置。
【請求項７】
前記電力送信器からの前記無線周波信号の各パルスが、前記洞結節から発信される前記心臓信号の立ち上がりより長い立ち上がり時間を有する請求項６に記載の装置。
【請求項８】
前記電力送信器からの前記無線周波信号のパルスと、前記洞結節から発信される前記心臓信号のパルスが非同期である請求項１に記載の装置。
【請求項９】
前記動物に埋め込むためのものであって、前記血管電極ステントに接続された第三の電極を更に備え、前記ペーシング信号回路が該第三の電極に電圧パルスを印加する請求項１に記載の装置。
【請求項１０】
無線周波信号のパルスを周期的に送信する電力送信器と、
動物の血管に埋め込むためのものであって、本体部、該本体部にあるペーシング信号回路、前記無線周波信号及び心臓の洞結節から発信される心臓信号を受信するピックアップコイル、並びに前記本体部に取り付けた第一の電極を備える血管電極ステントと、
前記動物の血管に埋め込む第二の電極と、を備える人工的に動物の心収縮を促進する心臓ペーシング装置であって、
前記ペーシング信号回路が、蓄電器と、前記ピックアップコイルに接続され、前記無線周波信号のパルスを検出するのに応じて前記蓄電器を充電し、前記心臓信号を検出するのに応じてトリガー信号を生成する弁別器と、該弁別器及び前記蓄電器に接続され、前記第一の電極及び前記第二の電極の間に刺激電圧パルスを印加して前記心臓を収縮させるパルス回路と、を備える心臓ペーシング装置。
【請求項１１】
前記血管内で前記本体部が第一の断面サイズから第二の断面サイズに拡張可能である請求項１０に記載の装置。
【請求項１２】
前記第一の電極が前記血管電極ステントの前記本体を取り囲む導電性リングである請求項１０に記載の装置。
【請求項１３】
前記蓄電器がコンデンサである請求項１０に記載の装置。
【請求項１４】
前記弁別器が、前記電力送信器からの無線周波信号と、前記洞結節から発信される前記心臓信号とを、それらの信号波形の差異に基づき識別する請求項１０に記載の装置。
【請求項１５】
前記電力送信器からの前記無線周波信号の各パルスが、前記洞結節から発信される前記心臓信号の立ち上がりより長い立ち上がり時間を有する請求項１４に記載の装置。
【請求項１６】
前記電力送信器からの前記無線周波信号のパルスと、前記洞結節から発信される前記心臓信号のパルスが非同期である請求項１０に記載の装置。
【請求項１７】
前記動物の血管中に埋め込むためのものであって、前記ペーシング信号回路に接続された第三の電極を更に備え、前記パルス回路が前記第一の電極と前記第三の電極の間に電圧パルスを印加する請求項１０に記載の装置。
【請求項１８】
前記動物の血管中に埋め込むためのものであって、前記血管電極ステントに接続された第三の電極を更に備え、前記ペーシング信号回路が前記第二の電極と前記第三の電極の間に電圧パルスを印加する請求項１０に記載の装置。
【請求項１９】
ピックアップ装置及び第一の電極を有し、蓄電器を有するペーシング信号回路にその両者が接続された血管電極ステントを動物の血管中の第一の位置に埋め込むステップと、
該血管電極ステントの前記ペーシング信号回路に接続された前記第二の電極を、前記動物の血管中の第二の位置に埋め込むステップと、
無線周波信号を前記血管電極ステントに送信するステップと、
該無線周波信号から前記ペーシング信号回路によって受信される電気エネルギーを用いて前記蓄電器を充電するステップと、
該ペーシング信号回路が、前記心臓の洞結節からの心臓信号の発信を検出するステップと、
該ペーシング信号回路が、前記第一の電極と第二の電極の間に前記蓄電器から電圧を印加することによって前記心臓信号の発信を検出するのに応答して前記心収縮を促進するステップと、を有する動物の心収縮を促進する方法。
【発明の詳細な説明】
【技術分野】
【０００１】
本発明は心収縮を促進するため心臓組織にエネルギーを送る埋め込み型医療装置に関し、より詳細には、静脈又は動脈に埋め込み可能な心臓ペーシング装置に関する。
【背景技術】
【０００２】
自然の心臓搏動が遅くなりあるいは中断した人々に対する治療手段は、心臓ペーシング装置を埋め込むことである。心臓ペーシング装置は心臓を刺激して規則的なペースで拍動させる小さな電子装置である。
【０００３】
一般的に心臓ペーシング装置は患者の胸に埋め込まれ、心収縮に伴う電気インパルスを検出するセンサ電極を有する。これらの検出されたインパルスは分析されて不規則な心臓搏動が生じる時期を判断し、その結果パルス発生器が電気パルスを発するよう駆動される。ワイヤは特定の心筋に隣接して設置されたパッチ型の刺激電極にこれらのパルスを送り、電気的に刺激が与えられると心腔を収縮する。心腔を収縮させるには、該刺激電極を適切に配置することが重要である。
【０００４】
最新の心臓ペーシング装置は、患者の活動レベルに応じた心拍数に合うよう刺激が調整され、それによって心臓の自然な動きを模倣している。パルス発生器は心臓の洞結節の活動を検出することによって、もしくは体動又は呼吸数が示すその他のセンサシグナルに応じてそのレートを修正する。
【０００５】
米国特許第６，４４５，９５３号は、患者の体外に取り付けでき、不規則又は弱い心臓の動きを検出するペーシング装置を有する心臓ペースメーカを記載している。このケースでは、ペーシング装置が無線周波信号を発信し、患者の心臓の静脈又は動脈中に埋め込まれたステントに取り付けられた回路によって該信号が受信される。特に、無線周波信号はステントのアンテナに電圧パルスを誘起し、該パルスをステントの１対の電極間に印加し、それによって隣接筋組織を刺激して心臓を収縮する。この心臓ペーシング装置は他のタイプのペースメーカより優れた利点をいくつか有するが、心臓が刺激を必要とする時期を外部ペーシング装置が検出するには、検出電極を患者の胸に配置する必要がある。
【発明の開示】
【０００６】
動物の心収縮を人工的に促進する心臓ペーシング装置を提供する。この装置は電力送信器を備え、該電力送信器は、できれば動物の静脈又は動脈中に埋め込まれる血管電極ステントに無線周波信号のパルスを周期的に送信する。
【０００７】
血管電極ステントは、無線周波信号及び心臓の洞結節から発信される心臓信号を受信するピックアップ装置、例えばワイヤのコイルなどから構成される。ペーシング信号回路はピックアップ装置及び動物の細胞組織に接触する１対の電極に接続される。ペーシング信号回路は無線周波信号からの電気エネルギーによって充電される蓄電器を有する。心臓信号を検出するのに応答して、ペーシング信号回路は１対の電極間に刺激電圧パルスを印加して心収縮を引き起こす。
【０００８】
血管電極ステントの好ましい実施形態では、該ペーシング信号回路は弁別器及びパルス回路を備える。該弁別器はピックアップ装置に接続され、無線周波信号のパルスを検出するのに応答して蓄電器の充電を制御する。該弁別器が心臓信号を検出するとトリガー信号が生成され、その結果パルス回路は１対の電極間に刺激電圧パルスを印加する。
【発明を実施するための最良の形態】
【０００９】
初めに図１を参照すると、心臓１２を電気的に刺激して心臓を収縮するペーシング装置１０は、電力送信器１４及び血管電極ステント２０を有する。電力送信器１４は、好ましくは患者の胸近くの体外に設け、血管電極ステント２０によって受信される無線周波信号１６を発信する。また別の方法では、該電力送信器１４を患者に埋め込んでも良い。以下より詳細に説明するように、無線周波信号１６を受信することで電極ステントの回路に電力を供給する。血管電極ステント２０は、洞結節に近接して心臓を通って血液を流す動脈又は静脈１８中に設けられる。例えば、血管電極ステント２０は 静脈中に設けても良い。
【００１０】
図２を参照すると、電力送信器１４はタイミング回路２４及びアンテナ２６に接続された無線周波（ＲＦ）送信機２２を備えている。ＲＦ送信機２２及びタイミング回路２４は何れも電池２８により電力供給される。タイミング回路２４はＲＦ送信機２２を制御し、無線周波信号１６の周期的なパルスを発信する。例えば図４Ａに示したように、該パルスは比較的遅い立ち上がり及び立ち下がりを有し、このため信号レベルは徐々に増加及び減少する。
【００１１】
図３に示したように、電極ステント２０は、狭い静脈又は動脈を拡張するのに用いられる良く知られた拡張性血管ステントに類似した本体部３０を備えている。かかる血管ステントは通常管状形状を有し、患者の血管に自由に通すことができる比較的小さな径に縮められる。電極ステント２０を埋め込む処置は、従来の血管ステントに用いる処置と同様である。例えば、標準的なカテーテルの端部にあるバルーンを、縮めた形にして血管電極ステント２０中に挿入する。このアセンブリを、切り口を通って患者の皮膚に近い静脈又は動脈中に挿入し、血管系を通って心臓１２の洞結節近くの適切な位置に押し込む。その後、カテーテルのバルーンを膨らませて血管電極ステント２０を拡張し、これによって該電極ステントを静脈又は動脈の壁に埋め込む血管１８をわずかに拡張する。そしてバルーンをしぼませ、患者からカテーテルが取り除かれ、切り口が閉じられる。あるいは、本体部３０として自己拡張ステントを用いても良い。血管１８がわずかに拡張していること及び電極ステントの本体部が管状にデザインされていることから、血液を該血管電極ステント２０を通して比較的スムーズに流すことができる。
【００１２】
図３及び４を参照すると、血管電極ステント２０はペーシング信号回路３２及び本体部３０の周囲に巻かれたワイヤコイル形状のピックアップ装置３４を有する。リング形状の第一の電極３６は本体部を取り囲んでいる。ペーシング信号回路３２はピックアップ装置３４に接続されたパルス弁別器３８を備える。以下記載するように、該パルス弁別器３８は、心臓の洞結節における電気的事象によってピックアップ装置に誘起される電気パルスと、電力送信器１４からのＲＦ信号１６によってピックアップ装置に誘起される電気パルスとを識別する。この識別は、図４ＡのＲＦ信号１６及び図４Ｂの洞結節からの心臓信号に示したように、それぞれの信号波形の形状及びこれら波形のパルスに基づきなされる。ＲＦ信号は比較的長パルスで、緩やかな立ち上がり及び立ち下がりを有する。一方、心臓信号の電気パルスは非常に短パルスで急峻な立ち上がり及び立ち下がりを有する。また該パルス弁別器３８は、両タイプのパルスがちょうど合致する時間を検出することもできる。
【００１３】
パルス弁別器３８は、ＲＦ信号パルスが検出されるたびに該信号のエネルギーを用いて蓄電コンデンサ４０を充電する。該コンデンサは血管電極ステント２０の回路に電力を供給する。該コンデンサにはその他のタイプの蓄電器を用いても良い。無線周波信号は血管電極ステントに電力を供給するもので、従来の無線ペースメーカとは違い心刺激を誘発するものではない。
【００１４】
心臓１２の洞結節は電気的な心臓信号を発信し、該心臓信号が心腔の収縮を引き起こす。該心臓信号は心臓を通って心房を収縮する筋組織に至る通信網中を細胞から細胞へ伝達する。また、この信号は別の通信網に沿って房室（ＡＶ）結節に達するまで伝播もする。該房室結節は心房と心室間の心臓の中央に位置する細胞群である。該房室結節は、心室に心臓信号を伝達する前の電流の流れを遅延する弁として機能する。この遅延によって、心室を刺激する前に心房を十分収縮する機会が確保される。
【００１５】
洞結節に近接して血管電極ステント２０を配置するため、図４Ｂに示したように、心臓信号の発信は血管電極ステント２０のピックアップ装置又はコイル３４に電流パルスを誘起もする。パルス弁別器３８は、図４Ａに示したＲＦ信号パルスに比べて、該パルスの急峻な立ち上がり時間を心臓信号によって発生されたものであると認識する。心臓信号が検出されると、パルス弁別器３８はパルス回路４２にトリガー信号を発する。該パルス回路４２は、図５Ｃに示したように、心収縮を促進する電圧パルスを生成する従来の心臓ペーシング装置に使用された回路と同様のものである。特に、駆動すると、該パルス回路４２は、コンデンサ４０の電荷を使用してステント本体部を取り囲む第一の電極３６と、血管電極ステント２０から遠隔の第二の電極４４の間に印加される電圧パルスを発生する。
【００１６】
図３に示したように、第二の電極４４は心臓の別部分にある血管４６の壁に固定され、該血管を通って伸びている細い絶縁線４８によってパルス回路４２と接続されている。該第二電極４４を比較的小さなサイズとすることで、血管電極ステント２０よりかなり小さな血管４６中に該第二電極を配置することができる。この結果、第二電極４４は心臓血管系や心臓１２の所望位置を収縮する筋組織に近接する様々な位置に配置することができる。
【００１７】
第二電極４４が心房と心室の何れの収縮を促進するため設けられているかによって、パルス回路４２はパルス弁別器３８からのトリガー信号を受信したあと、所定時間遅延させてから第一の電極及び第二の電極に電圧パルスを印加する。そのため、筋刺激のタイミングは、自然に生じる心房又は心室の収縮によって起こる該遅延時間に合致している。この遅延時間は埋め込み処理中外科医によってパルス回路４２にプログラムされ、第二電極の位置に依存するものである。
【００１８】
血管電極ステント２０の別の例では、例えば第三の電極５０等の一以上の追加電極を別の心臓血管５２に埋め込み、心臓の更に別の部分を刺激することができる。この場合、個々の電圧パルスは第一の電極３６ならびに追加電極４４及び５０それぞれの間に印加され、心臓の別の部分の収縮を別個に刺激することができる。また、刺激パルスは、第一の電極３６を使用せず、第二の電極４４と第三の電極５０の間に印加しても良い。
【００１９】
以上の説明は主に本発明の好ましい実施形態に関するものである。本発明の範囲内の様々な代替案のいくつかについて言及したが、本発明の実施形態の開示から現時点において明らかである更なる代替案を当業者は容易に想到し得るであろう。従って、本発明の範囲は添付の特許請求の範囲から判断すべきであり、上記開示によって制限されるべきではない。
【図面の簡単な説明】
【００２０】
【図１】医療患者に取り付けた心臓ペーシング装置を示す図である。
【図２】心臓ペーシング装置用の電力送信器の回路図である。
【図３】血管電極ステント及び第２の電極が埋め込まれた心臓血管の等尺断面図である。
【図４】図２に示した血管電極ステントの電気回路のブロック図である。
【図５Ａ−Ｃ】心臓ペーシング装置における三つの電気信号の波形図である。
【符号の説明】
【００２１】
１０    ペーシング装置
１２    心臓
１４    電力送信器
１６    無線周波信号
１８，４６，５２    血管
２０    血管電極ステント
２２    無線周波（ＲＦ）送信機
２４    タイミング回路
２６    アンテナ
２８    電池
３０    本体部
３２    ペーシング信号回路
３４    ピックアップ装置
３６    第一の電極
３８    パルス弁別器
４０    コンデンサ
４２    パルス回路
４４    第二の電極
４８    絶縁線
５０    電極
【図１】
2007510462.tif 000003
【図２】
2007510462.tif 000004
【図３】
2007510462.tif 000005
【図４】
2007510462.tif 000006
【図５Ａ−Ｃ】
2007510462.tif 000007
【国際調査報告】
2007510462.tif 000008